(57)【要約】    【課題】受信機に戻ることなく火災現場に出向いたままで受信機と同じ操作表示ができるようにする。    【解決手段】火災監視に伴う表示及び操作を行う表示部と操作部を備えた操作表示装置５を受信機１に着脱自在に設ける。受信機から警戒区域に引出され、受信機１から取り外された操作表示装置５は受信機１から警戒区域に引出された通信回線の通信コネクタに接続され、火災受信機１に取り付けている場合と同様に、受信機１のサーバ処理部と操作表示装置５のクライアント処理部との情報の送受により火災監視に伴う表示と操作を行う。    【選択図】      図２
2006172168.tif 000002
【特許請求の範囲】
【請求項１】
受信機から警戒区域に引出された信号線に接続された火災感知器を含む検出器からの信号を受信して火災を含む異常を監視する防災監視システムに於いて、
前記受信機に着脱自在に設けられ、火災監視に伴う表示と操作を行う表示部及び操作部を備えた操作表示装置と、
前記受信機から警戒区域に引出された通信回線に設けられ、前記受信機から取り外された前記操作表示装置が接続される通信コネクタと、
前記受信機に設けられ、前記通信回線の通信コネクタを介して接続された前記操作表示装置との間で前記受信機に取り付けている場合と同様に火災監視に伴う表示と操作を行うための情報を送受するサーバ処理部と、
前記操作表示装置に設けられ、前記サーバ処理部との情報の送受により火災監視に伴う表示と操作を行うクライアント処理部と、
を備えたことを特徴とする防災監視システム。
【請求項２】
請求項１記載の防災監視システムに於いて、前記操作表示装置はタッチパネル付きの液晶ディスプレイユニットを備えたことを特徴とする防災監視システム。
【請求項３】
請求項１記載の防災監視システムに於いて、前記通信回線は、有線又は無線のローカルエリアネットワークであることを特徴とする防災監視システム。
【請求項４】
請求項１記載の防災監視システムに於いて、前記操作表示装置は、前記受信機から取り外した際に動作させる電池電源を備えたことを特徴とする防災監視システム。
【請求項５】
受信機に対し着脱自在な装置本体と、
前記装置本体に設けられ火災監視に伴う表示を行う表示部と、
前記装置本体に設けられ火災監視に伴う操作を行う操作部と、
前記受信機から警戒区域に引出された通信回線の通信コネクタに接続された状態で前記受信機のサーバ処理部との情報の送受により火災監視に伴う表示と操作を行うクライアント処理部と、
を備えたことを特徴とする防災監視用操作表示装置。
【請求項６】
請求項５記載の防災監視用操作表示装置に於いて、前記操作部と表示部はタッチパネル付きの液晶ディスプレイユニットであることを特徴とする防災監視用操作表示装置。
【請求項７】
請求項５記載の防災監視用操作表示装置に於いて、前記受信機から取り外した際に動作させる電池電源を備えたことを特徴とする防災監視用操作表示装置。
【請求項８】
請求項５記載の防災監視用操作表示装置に於いて、現在の操作表示装置の場所を認識して前記表示部に監視区域図と共に現在位置を表示するナビゲーション機能を備えたことを特徴とする防災監視用操作表示装置。
【発明の詳細な説明】
【技術分野】
【０００１】
本発明は、警戒区域に引出された信号線に接続された火災感知器を含む検出器からの信号を受信機で受信して火災を含む異常を監視する防災監視システム及び防災監視用操作表示装置に関する。
【背景技術】
【０００２】
従来、火災、ガス漏れなどの異常を監視する防災監視システムにあっては、受信機から建物内の警戒区域に引出された信号線に火災感知器、ガス漏れ検出器などを接続し、例えば火災信号を受信した際に、火災警報を出すようにしている。
【０００３】
受信機で火災警報が出された場合には、係員が受信機の表示から火災発生場所を認識し、火災発生現場に急行して火災を確認する。この場合、非火災であった場合の混乱を回避するため、いったん受信機の音響警報、及び火災発生場所での地区音響警報は停止しておく場合もある。
【０００４】
係員が火災発生場所に出向いて火災を確認した場合には、受信機に設けている火災断定スイッチを操作する。火災断定スイッチを操作すると、受信機の操作で停止状態にある音響警報及び地区音響警報が解除されて再度鳴動する。
【０００５】
また火災発生場所に出向いて火災を確認した際に、発見が早く火災が小さい場合には、消火器を使用して初期消火をすることになる。一方、火災が拡大して初期消火が困難な場合には、消防署への通報及び避難誘導のための非常放送を行う。更に負傷者がでているような場合には、負傷者の安全確保と同時に救急車の出動要請を行うことになる。
【０００６】
このように受信機で火災警報が出された場合、火災確認、消火活動、消防署への通報といった様々な行動を係員が迅速且つ的確に行うことが求められる。
【特許文献１】特開平８−２８７３７１号公報
【特許文献２】特開平１０−２１４３９０号公報
【発明の開示】
【発明が解決しようとする課題】
【０００７】
しかしながら、マンションの監視室のように常駐している管理人が１人しかいないような防災監視システムにあっては、受信機で火災警報を受信して現場に出向いて火災を確認した場合、管理人室に戻って受信機の火災断定操作等を行わなければならず、火災の確認と確認後の行動に時間がかかる問題がある。
【０００８】
この問題を解消するため、例えば警戒区域に受信機の遠隔操作部を設け、火災確認後に受信機に戻らなくとも火災発生場所に近い遠隔操作部を使用して警報停止解除などの操作ができるようにしたシステムも考えられている。
【０００９】
しかし、火災確認後に係員に要求される行動は、警報停止の解除のみならず、避難誘導のための非常放送の起動、消防署への通報、火災発生場所の建物の状況の把握など受信機での操作表示を必要とすることが多く、火災確認ができたならば、速やかに管理人室に戻って受信機の操作表示を活用して的確に行動する必要があり、係員が１人と少ない場合には、火災に伴う通報、避難誘導などが時間的に遅れることが懸念される。
【００１０】
本発明は、係員が受信機に戻ることなく火災現場に出向いたままで受信機と同じ操作表示ができる防災監視システム及び防災監視用操作表示装置を提供することを目的とする。
【課題を解決するための手段】
【００１１】
この目的を達成するため本発明は次のように構成する。本発明は、受信機から警戒区域に引出された信号線に接続された火災感知器を含む検出器からの信号を受信して火災を含む異常を監視する防災監視システムに於いて、
受信機に着脱自在に設けられ、火災監視に伴う表示と操作を行う表示部及び操作部を備えた操作表示装置と、
受信機から警戒区域に引出され通信回線に設けられ、受信機から取り外された操作表示装置が接続される通信コネクタと、
受信機に設けられ、通信回線の通信コネクタを介して接続された操作表示装置との間で火災受信機に取り付けている場合と同様に火災監視に伴う表示と操作を行うための情報を送受するサーバ処理部と、
操作表示装置に設けられ、サーバ処理部との情報の送受により火災監視に伴う表示と操作を行うクライアント処理部と、
を備えたことを特徴とする。
【００１２】
ここで、操作表示装置はタッチパネル付きの液晶ディスプレイユニットを備える。また通信回線は、有線又は無線のローカルエリアネットワークである。更に操作表示装置は、受信機から取り外した際に動作させる電池電源を備える。
【００１３】
本発明は、防災監視用操作表示装置を提供する。本発明の防災監視用操作表示装置は、
火災受信機に対し着脱自在な装置本体と、
装置本体に設けられ火災監視に伴う表示を行う表示部と、
装置本体に設けられ火災監視に伴う操作を行う操作部と、
受信機から警戒区域に引出された通信回線の通信コネクタに接続された状態で受信機のサーバ処理部との情報の送受により火災監視に伴う表示と操作を行うクライアント処理部と、
を備えたことを特徴とする。
【００１４】
ここで、操作部と表示部はタッチパネル付きの液晶ディスプレイユニットである。また現在の操作表示装置の場所を認識して前記表示部に監視区域図と共に現在位置を表示するナビゲーション機能を備える。更に受信機から取り外した際に動作させる電池電源を備える。
【発明の効果】
【００１５】
本発明によれば、受信機での火災警報に伴い火災発生現場を確認する際には、受信機から操作表示装置を取り外して携帯し、火災発生場所に近い通信回線の通信コネクタに接続することで、受信機のサーバに対し携帯した操作表示装置がクライアントとして機能し、火災確認に伴う警報停止解除、避難誘導のための避難経路の確認、非常放送の起動、火災対処方法などのガイダンス表示等、受信機についている場合と同じ操作表示を火災発生現場で必要に応じて行うことができ、これによって火災発生現場に受信機を持ち出して操作表示しているのと同等の機能が得られ、係員が１人であっても、受信機に戻るという時間的なロスを生ずることなく、火災発生現場又はその近くで火災確認等の火災対処行動のための操作表示を迅速且つ的確に行うことができる。
【００１６】
また、操作表示装置の現在の場所が表示部に監視区域図と共に表示されるため、火災現場に向かう最適ルートが認識できるし、現場に到着した後は、周辺の設備状況が簡単に認識でき、火災の対処が行い易い。
【発明を実施するための最良の形態】
【００１７】
図１は本発明の防災監視システムで使用する着脱自在な操作表示装置を備えた受信機の説明図である。
【００１８】
図１において、受信機１は、前面パネル２の上部中央に火災代表灯３を設けており、その両側に諸表示部４を設けている。なお、ガス漏れ検出器を接続している場合には、火災代表灯３に加え、ガス漏れ代表灯が設けられる。
【００１９】
火災代表灯３の下側には、前面パネル２に対し着脱自在な操作表示装置５を設けている。操作表示装置５は例えば両側のレバー９ａをロック位置からアンロック位置に操作することで、図２に示すように受信機１から操作表示装置５を取り外すことができる。再び図１を参照するに、操作表示装置５の左側にはスピーカ開口６が設けられ、その下側には操作部７及びプリンタ８が設けられている。
【００２０】
図２の受信機１から操作表示装置５を取り外した状態の説明図において、受信機１側には収納部１３が形成されている。受信機１から取り外した操作表示装置５は、本体１１の前面にタッチパネル付液晶ディスプレイ１２を設けており、本体１１の両側にはロック溝９ｂが形成されている。
【００２１】
本体１１は、受信機１の収納部１３に収納された状態で、レバー９ａのロック位置でロック溝９ｂにレバー側を嵌合してロックしており、レバー９ａをアンロック位置に外すとロック溝９ｂからロック部材が外れ、受信機１から取り外すことができる。
【００２２】
また受信機１に形成した収納部１３の内部底壁にはコネクタ１４が設けられており、操作表示装置５の裏面に設けているプラグと収納部１３に対する装着状態で嵌合接続され、受信機１側との接続が行われている。
【００２３】
図３は本発明による防災監視システムのブロック図である。図３において、受信機１には受信機ＭＰＵ１５が設けられ、受信回路部１６−１〜１６−ｎから引き出された感知器回線１７−１〜１７−ｎのそれぞれに火災感知器１８を接続している。また受信機ＭＰＵ１５に対して設けられた受信回路部１９からは発信機回線２０が引き出され、発信機回線２０に押ボタン式の火災発信機２１を接続している。
【００２４】
更に受信機ＭＰＵ１５に対してはＬＡＮカード等を用いた通信制御部２６が設けられ、通信制御部２６からは通信回線としてＬＡＮケーブル２７が引き出されており、ＬＡＮケーブル２７には火災発信機２１に設けたＬＡＮコネクタ２８を接続している。
【００２５】
一方、受信機ＭＰＵ１５に対しては、着脱自在な操作表示装置５、操作部７、音声警報部２３、更にジャック端子に対する接続により通話接続を可能とするハンドセット２９を設けている。操作表示装置５は、図２に示したように、収納部１３に対し着脱自在に設けられている。
【００２６】
受信機ＭＰＵ１５には、プログラム制御により実現される受信制御部２４とサーバ処理部２５が設けられている。受信制御部２４は、火災感知器１８で火災が検出された際の受信回路部１６−１〜１６−ｎからの火災信号の受信、あるいは火災発信機２１の押ボタン操作による受信回路部１９からの火災信号の受信を監視している。
【００２７】
受信機１で火災信号を受信すると、図１に示している受信機１の火災代表灯３を点灯してスピーカの鳴動より音響警報を出し、同時に操作表示装置５に、例えば発報端末に対応した地区表示を行う。
【００２８】
この火災受信状態において、係員による火災断定操作が行われると、地区音響鳴動を行うと共に、自動通報装置を内蔵していた場合には、消防署や防火管理者に対する自動通報など火災発生に必要な火災対処処理が実行される。
【００２９】
また火災受信時にあっては、操作表示装置５のディスプレイ画面上に火災発生の表示と火災発生地区の表示、更に火災を確認した際に操作する火災断定スイッチの表示を行う。また、必要に応じて火災発生に対するガイダンスを選択的に表示させることができる。火災ガイダンスとしては、例えば消防署への通報、避難誘導、消火活動、防火管理者への通報などといったメニューを必要に応じて選択することができる。
【００３０】
一方、受信機１で火災警報が行われ、受信機１から取り外した操作表示装置５を携帯して係員が火災発生場所に出向いて確認した際に、非火災であった場合には操作表示装置５の表示を利用して、非火災に対する対処方法である非火災ガイダンスをディスプレイ上に表示させて、必要な非火災に対する対応操作を行うことができる。この非火災ガイダンスとしては、受信機１におけるスピーカによる警報音の停止、地区音響の停止、受信機の復旧、非火災要因の追及などのガイダンスが行われる。
【００３１】
図３の受信機ＭＰＵ１５に設けたサーバ処理部２５は、受信機１から操作表示装置５を取り外した際に起動し、取り外した操作表示装置５を火災発生場所の近くに設置している火災発信機２１に設けたＬＡＮコネクタ２８に接続して操作表示装置５側のクライアント機能が起動した場合、操作表示装置５のクライアント機能によるタッチパネルのスイッチ操作に対する火災状況の表示要求、火災ガイダンスの表示要求、非火災ガイダンスの表示要求などのクライアント要求を受信し、クライアント要求に伴う処理を、受信制御部２４を介して必要なデータを受領し、ＬＡＮケーブル２７により火災発信機２１側に接続している操作表示装置５に伝送して、火災状況表示、火災ガイダンス表示、非火災ガイダンス表示といった操作表示装置５を受信機１に装着している場合と同等な操作表示機能を提供する。
【００３２】
更に、受信機１のジャックにハンドセット２９を接続することで、火災発信機２１のＬＡＮコネクタ２８に接続している操作表示装置５との間で通話接続を確立して非常通話を行うことができる。
【００３３】
ここで、サーバ処理部２５により通信制御部２４との連携で火災発信機２１側のＬＡＮコネクタ２８に接続した操作表示装置５との間で処理可能な内容は次のようになる。
【００３４】
（１）火災状況の表示
（２）火災ガイダンスの表示
（３）非火災ガイダンスの表示
（４）受信機１と操作表示装置５との間のハンズフリーによる非常通話
（５）ＧＰＳ機能との連携による火災発生場所の平面図上での操作表示装置５の位置及び火災現場に無何有最適ルートを示すナビゲーション表示
（６）消火栓の設置位置の表示
（７）システムの立ち上げあるいは運用に必要な火災検出感度の参照、火災感知器１８としてアナログ火災感知器を使用している場合のアナログ値のモニタ、火災感知器に対する感度設定などの設定、及び設定の更新
【００３５】
更に、受信機１に対する操作表示を行うための操作表示装置５は、受信機１から取り外した場合、操作表示を受信機１側が優先するか、取り外した操作表示装置５が優先するかを決めるか操作権を制御する必要がある。
【００３６】
この操作権は、火災受信時にあっては係員が操作表示装置５を受信機１から取り外して火災発生現場に携帯し、火災かどうかを確認して、その結果により受信機１を操作することから、操作権は操作表示装置５を受信機１から取り外した場合、取り外した操作表示装置５に設定される。
【００３７】
取り外した操作表示装置５に設定された操作権は、操作表示装置５を携帯している係員の操作権開放の許可操作を受けて受信機１側に取り戻すことができる。
【００３８】
更に操作表示装置５は、後の説明で明らかにするように、電池を内蔵しており、受信機１から操作表示装置５を取り外した場合には、内蔵している電池による電源供給を受けて動作する。操作表示装置５の電池駆動時間としては例えば１時間程度の動作時間を保証できれば十分である。
【００３９】
図４は本発明による受信機に対し着脱自在な操作表示装置の実施形態を示したブロック図である。図４において、操作表示装置５はＣＰＵ３０を備え、ＣＰＵ３０のバス３１に対し、プログラムを固定的に記憶したＲＯＭ３２、ワークメモリとして使用するＲＡＭ３３、液晶ドライバ３４を介して接続した液晶ディスプレイユニット３５、スイッチドライバ３６を介して接続したタッチスイッチパネル３７、コネクタ３９を介して受信機１の受信機ＭＰＵ１５側と接続される受信機インタフェース３８、ＬＡＮコネクタ４２により火災発信機２１のＬＡＮコネクタ２８との接続でＬＡＮケーブル２７を介して受信機１のＬＡＮカードである通信制御部２６と接続されるＬＡＮカード４０、電源コネクタ４４と電池４５を接続して受信機１の装着状態にあっては電源コネクタ４４からの電源供給で電源を供給し、受信機１から取り外した場合には電池４５に切り替えて電源供給を行う電源回路部４３、更にマイク４７とスピーカ４８を接続した通話回路部４６を設けている。
【００４０】
ＣＰＵ３０にはプログラム制御により実現される操作表示制御部４９とクライアント処理部５０が設けられている。操作表示制御部４９は、受信機１に対する操作表示装置５の装着状態で、コネクタ３９により受信機ＭＰＵ１５側と接続される受信機インタフェース３８を介して、受信機ＭＰＵ１５の受信制御部２４からのコマンドに基づく必要な表示を液晶ディスプレイユニット３５に対し行い、この液晶ディスプレイユニット３５の表示に伴うタッチスイッチパネル３７の操作情報を受けて、必要な表示切替え及びスイッチ情報の出力を行う。
【００４１】
クライアント処理部５０は、操作表示装置５を受信機１から取り外して電源回路部４３が電池４５からの電源供給に切り替わった際に起動し、ＬＡＮコネクタ４２を介して受信機１からのＬＡＮケーブル２７に接続された状態で、受信機ＭＰＵ１５に設けているサーバ処理部２５との間の情報の送受により、液晶ディスプレイユニット３５に対する情報表示とタッチスイッチパネル３７のスイッチ操作に伴う操作表示処理に必要な信号の送受を行い、その結果を操作表示制御部４９に伝え、液晶ディスプレイユニット３５の表示及びタッチスイッチパネル３７の操作による操作信号のやり取りを処理する。
【００４２】
なお操作表示装置５の受信機１に対する着脱の検出は、受信機インタフェース３８のコネクタ３９のいずれかの端子を監視することで検出できる。
【００４３】
また図３の受信機１に設けた通信制御部２６としてのＬＡＮカード及び図４の操作表示装置５に設けたＬＡＮカード４０は、例えばイーサネット（Ｒ）の通信プロトコルに対応した通信制御を行う。もちろんイーサネット（Ｒ）以外に、適宜のＬＡＮプロトコルが対応できる。
【００４４】
図５は本発明による受信機処理のフローチャートである。図５において、受信機処理は、ステップＳ１で火災受信の有無を監視しており、火災を受信するとステップＳ２に進み、火災代表表示と地区表示を行う。
【００４５】
続いて、ステップＳ３で操作表示装置５の取り外しの有無を監視している。受信機１の設置場所の係員が複数いる場合には１人が火災発生場所に出向いて火災を確認すればよく、この場合には操作表示装置５の取り外しは必要ない。これに対し係員が１人であった場合には、操作表示装置５を取り外して火災発生場所に出向くことになる。
【００４６】
ステップＳ３で操作表示装置５の取り外しがなかった場合にはステップＳ４に進み、現場からの火災確認の有無を待ち、火災であれば火災断定に伴う操作を判別し、ステップＳ５で火災対処処理を実行する。火災対処処理は、地区音響鳴動、非常放送の起動による避難誘導、自動通報装置による消防署や防火管理者による自動通報を行う。
【００４７】
一方、非火災であった場合にはステップＳ６に進み、非火災対処処理を行う。非火災対処処理は、受信機１におけるスピーカからの主警報音響の停止、地区音響の停止、非火災要因がなくなったことの確認に伴う受信機の復旧などの処理となる。
【００４８】
ステップＳ３で操作表示装置５の取り外しが判別された場合には、ステップＳ７でサーバ処理部２５を起動し、同時に操作権は取り外した操作表示装置２５側に移す。続いてステップＳ８で、取り外した操作表示装置５を火災発生場所に近い火災発信機２１のＬＡＮコネクタ２８に接続した後の図４に示した操作表示装置５におけるクライアント処理部５０の起動に伴い、サーバ／クライアント通信に基づく火災対処処理を行う。
【００４９】
この火災対処処理は、火災断定を含むステップＳ５に示した受信機１における火災対処処理と基本的に同じである。続いてステップＳ９で操作表示装置５を受信機１に装着したか否かチェックしており、装着されるとステップＳ１０に進み、サーバ処理部２５を停止し、処理を終了する。
【００５０】
図６は本発明による操作表示装置５の操作表示処理のフローチャートである。図６において、操作表示処理は、ステップＳ１で受信機１の受信制御部２４による操作表示処理を実行しており、ステップＳ２で受信機からの取り外しの有無をチェックしている。受信機からの取り外しを判別すると、ステップＳ３に進んで電池電源に切り替えた後、ステップＳ４でクライアント処理部５０を起動する。
【００５１】
続いて、ステップＳ５で火災発信機２１のＬＡＮコネクタ２８に接続されたことを条件に、サーバとクライアント間の情報送受に基づく操作表示処理を実行する。この間、ステップＳ６で受信機への装着の有無をチェックしており、受信機への装着を判別するとステップＳ７に進み、クライアント処理部５０を停止すると共に、電池電源から受信機電源への切替えを行い、再びステップＳ１の受信機１に装着した状態での操作表示処理に戻る。
【００５２】
次に、受信機１に対し着脱自在な本発明の操作表示装置５による操作表示処理の具体例を、火災受信、火災ガイダンス及び非火災ガイダンスに分けて説明する。
【００５３】
図７は本発明の操作表示装置５による通常監視状態における監視画面５１の説明図であり、画面上には「防災設備監視中」といった表示が行われている。この状態で火災を受信すると、図８の火災表示画面５２に切り替わる。
【００５４】
火災表示画面５２にあっては、火災発生を示す「火災です」のメッセージに続いて、火災発生場所を示す表示が行われる。この場合には「０１階０１地区  東展示棟  第１ホール」の火災発生であり、同時に火災発生時刻「１１：５９」も表示される。その下には火災断定スイッチ５３が表示される。
【００５５】
この火災表示画面５２の表示状態で係員が操作表示装置５を受信機１から取り外して現場に携帯する場合には、図８における火災表示画面５２が、そのまま継続的に表示される。
【００５６】
また図８の火災発生場所を指でタッチすると、図９の火災発生地区の配置画面５４に切り替わる。そして火災発生場所である第１ホールには火災発生場所を示す火災マーク５５が表示される。
【００５７】
受信機１から取り外した操作表示装置５を携帯して現場に出向いた係員は、火災を確認した場合には、携帯している操作表示装置５を近くの火災発信機２１に設けているＬＡＮコネクタ２８に接続した状態で、図８の火災表示画面５２の火災断定スイッチ５３を指先で操作する。
【００５８】
この火災断定スイッチ５３の操作により、受信機１に対し火災断定情報が伝送され、受信機１側において火災断定に伴う火災対処処理、例えば受信機１の主音響を停止している場合には主音響の停止解除、地区音響の鳴動、自動通報装置を備えていた場合には消防署や防火管理者に対する自動通報、更に非常放送設備を備えていた場合には移報部２３からの移報信号による非常放送装置による自動非常放送などを、火災発生場所からの指示で行うことができる。
【００５９】
このような火災現場において操作表示装置５を使用した火災断定操作が済んだならば、係員は次に図１０のような火災ガイダンス初期画面５６に切り替える。火災ガイダンス初期画面５６には
（１）消防署へ通報
（２）避難誘導
（３）消火活動
（４）防火管理者への通報
の４項目が表示されている。
【００６０】
係員が消防署への通報を選択すると、図１１の消防署通報ガイダンス画面５７に切り替わる。消防署通報ガイダンス画面５７にあっては、消防署に対する１１９番通報の指示と、消防署に対する通報の際に伝える必要のある項目を、図１１に示す項目１〜４、及び図１２の消防署通報ガイダンス画面５８に示す項目５〜６のように表示している。
【００６１】
このため消防署に通報する際にも、係員は図１１、図１２の消防署通報ガイダンス画面５７、５８を見ながら通話することで、火災状況に対応した消防署への連絡及び対応を適切に漏れなく行うことができる。
【００６２】
図１３は図１０の火災ガイダンス初期画面で係員が避難誘導を選択した場合の避難誘導ガイダンス画面５９の説明図である。この避難誘導ガイダンス画面５９にあっては、係員の避難誘導における心構えとして「火災状況を見て落ち着いて誘導する」が示され、これに続いて避難誘導に必要な事項を２項目に亘り表示している。
【００６３】
図１４は図１０の火災ガイダンス初期画面５６で係員が消火活動を選択した場合の消火活動ガイダンス画面６０の説明図であり、図１５の消火活動ガイダンス画面６１との２画面で構成されている。この消火活動ガイダンス画面６０、６１にあっては、「初期消火を行う」を消火活動として、項目１から４に亘り初期消火に必要な行動を列挙している。
【００６４】
図１６は図１０の火災ガイダンス初期画面５６で防火管理者への通報を選択した場合の防火管理者通報ガイダンス画面６２の説明図である。この防火管理者通報ガイダンス画面６２にあっては、「防火管理者への通報を行う」として項目１の緊急連絡先と項目２の連絡内容が示されている。
【００６５】
図１７は本発明の操作表示装置５による非火災ガイダンスの初期画面の説明図である。図１７の非火災ガイダンス初期画面６３にあっては、ステップ１〜ステップ５に分けて、
（１）スピーカの音を停止
（２）地区音響を停止
（３）受信機を復旧
（４）非火災の要因
（５）要因がわからない
についてガイダンスを切替表示できるようにしている。
【００６６】
図１８は図１７の非火災ガイダンス初期画面６３でステップ１を選択した場合のスピーカ音停止ガイダンス画面６４の説明図であり、図１９のスピーカ音停止ガイダンス画面６５との２画面で構成されている。
【００６７】
スピーカ音停止ガイダンス画面６４、６５にあっては、「スピーカの音を停止する」を目的として具体的なスイッチ操作の内容が「受信機の音響停止スイッチを押してください」として示され、そのスイッチ操作の結果が表示されている。また図１９にあっては、音響停止スイッチを操作したい場合の注意事項が示される。
【００６８】
図２０は図１７の非火災ガイダンス初期画面６３でステップ２を選択して表示した地区音響停止ガイダンス画面６６の説明図であり、図２１の地区音響停止ガイダンス画面６７との２画面で構成されている。
【００６９】
地区音響停止ガイダンス画面６６にあっては、「地区音響を停止を押してください」が示され、そしてそのスイッチ操作に伴う操作結果が示される。図２１の地区音響停止ガイダンス画面６７にあっては、地区音響の停止に伴う注意事項が表示される。
【００７０】
図２２は、図１７の非火災ガイダンス初期画面６３でステップ３を選択して表示させた受信機復旧ガイダンス画面６８の説明図であり、図２３に示す受信機復旧ガイダンス画面６９との２画面で構成されている。
【００７１】
受信機復旧ガイダンス画面６８にあっては、「受信機を復旧する」を目的として具体的な受信機の復旧スイッチの操作を指示し、その復旧スイッチの操作に伴う結果を示している。また受信機復旧ガイダンス画面６９にあっては、火災原因が残っている場合の復旧に伴う注意事項が表示されている。
【００７２】
図２４は図１７の非火災ガイダンス初期画面６３でステップ４を選択して表示させた非火災要因ガイダンス画面７０の説明図であり、図２５の非火災要因ガイダンス画面７１との２画面で構成されている。
【００７３】
非火災要因ガイダンス画面７０にあっては、「非火災の要因について」の発見を目的として、火災感知器の非火災要因として項目１〜３、更に非火災要因ガイダンス画面７１に示す項目４〜６の要因を示し、更に、このような項目１〜６の要因が、作動した感知器の周辺にあるか否かの確認メッセージが示されている。
【００７４】
図２６は図１７の非火災ガイダンス初期画面６３でステップ５を選択して表示させた非火災要因不明ガイダンス画面７２の説明図である。この非火災要因不明ガイダンス画面７２にあっては、図２４、図２５の非火災要因ガイダンス画面７０、７１に従って非火災要因を調べても要因が分からない場合には、非火災要因不明ガイダンス画面７２に示す「発生月日、天候、温湿度、発生機器、場所等」といった情報を調査した上、メンテナンス業者に連絡する旨を表示している。
【００７５】
なお図３の防災監視システムの実施形態にあっては、受信機１から引き出したＬＡＮケーブル２７を火災発信機２１に設けたＬＡＮコネクタ２８に接続し、受信機１から取り外した操作表示装置５を火災発信機２１のＬＡＮコネクタ２８に接続して、受信機との間でサーバクライアント方式により操作表示に必要な処理を行うようにしているが、この場合のイーサネット（Ｒ）などの有線ＬＡＮ以外に、ＬＡＮケーブル２７に無線ＬＡＮの中継装置として機能するアクセスポイント装置を接続し、一方、図４の操作表示装置５には有線ＬＡＮ用のＬＡＮカードの代わりに無線ＬＡＮカードを設け、無線ＬＡＮにより受信機１と取り外した操作表示装置５との間のサーバクライアント方式による操作表示処理を行うようにしてもよい。
【００７６】
更に、受信機１と取り外した操作表示装置５とのサーバクライアント方式による操作表示処理は、専用のＬＡＮケーブル２７を使用せず、インターネット経由で受信機１のサーバ処理部２５と取り外した操作表示装置５のクライアント処理部５０との間の操作表示に必要な情報のやり取りを行うようにしてもよい。
【００７７】
このインターネット経由のサーバクライアントによるサーバ表示処理にあっては、受信機１側をサーバ、操作表示装置５側をクライアントとするサーバクライアント方式であってもよいし、受信機１及び操作表示装置５側が共にクライアントとして相互に機能するピアツーピア方式であってもよい。
【００７８】
また上記の実施形態にあっては、受信機１から取り外した操作表示装置５は内蔵した電池電源で動作するようにしているが、操作表示装置５にＡＣアダプタを内蔵しておくことで、火災発信機２１のＬＡＮコネクタ２８に接続した状態でＡＣ電源を使用して動作させることもできる。このＡＣ電源による取り外した操作表示装置５の動作は、システム立ち上げ時やシステム改修時において現場で必要な設定操作を、ある程度の時間をかけて行う場合に有効である。
【００７９】
また、上記実施の形態においては、操作表示装置5が接続されるＬＡＮコネクタ２８は各発信機２１に設けられているが、これに限らず、建物の各所に設けられている副表示盤や、表示灯や警報ベルが収納された機器収容箱などに設けても良いし、別途設けた専用の格納箱に設けても良い。
【００８０】
また、受信機に非常放送システムが接続される場合には、操作表示装置５に設けたマイク４７を使用して、火災現場から監視員が非常放送を行うようにしても良い。
【００８１】
また、本願の実施形態の操作表示装置５と同等機能の操作表示装置を複数用意しておき、監視員が受信機から取り外すことなく、別に設けた操作表示装置を現場に持っていき、コネクタに接続して遠隔的に受信機の操作を行うようにして良い。
【００８２】
この場合は、受信機と火災現場のそれぞれのコネクタに操作表示装置が接続されることになるため、操作権を操作表示装置の面面から設定して、音響停止等の火災時に重要な操作は一つの操作表示装置からのみ受け付けるようにすると良い。ここで、操作権の無い側の操作表示装置では、操作できる項目が制限されるが、警報表示、平面図表示やガイダンス表示などの表示切り替えが可能であれば、監視員がそれぞれの持ち場でそれぞれの対処が可能となる。
【００８３】
また本発明は、その目的と利点を損なうことのない適宜の変形を含み、更に上記の実施形態に示した数値による限定は受けない。
【図面の簡単な説明】
【００８４】
【図１】本発明で使用する着脱自在な操作表示装置を備えた受信機の説明図
【図２】受信機から操作表示装置を取り外した説明図
【図３】本発明による防災監視システムのブロック図
【図４】本発明による操作表示装置の実施形態を示したブロック図
【図５】本発明による受信機処理のフローチャート
【図６】本発明による操作表示処理のフローチャート
【図７】本発明の操作表示装置による監視画面の説明図
【図８】本発明の操作表示装置による火災表示画面の説明図
【図９】本発明の操作表示装置による火災発生地区の配置画面の説明図
【図１０】本発明の操作表示装置による火災ガイダンスの初期画面の説明図
【図１１】本発明の操作表示装置による消防署通報ガイダンス画面の説明図
【図１２】図１１に続く消防署通報ガイダンス画面の説明図
【図１３】本発明の操作表示装置による避難誘導ガイダンス画面の説明図
【図１４】本発明の操作表示装置による消火活動ガイダンス画面の説明図
【図１５】図１４に続く消火活動ガイダンス画面の説明図
【図１６】本発明の操作表示装置による防火管理者通報ガイダンス画面の説明図
【図１７】本発明の操作表示装置による非火災ガイダンス初期画面の説明図
【図１８】本発明の操作表示装置によるスピーカ音停止ガイダンス画面の説明図
【図１９】図１８に続くスピーカ音停止ガイダンス画面の説明図
【図２０】本発明の操作表示装置による地区音響停止ガイダンス画面の説明図
【図２１】図２０に続く地区音響停止ガイダンス画面の説明図
【図２２】本発明の操作表示装置による受信機復旧ガイダンス画面の説明図
【図２３】図２２に続く受信機復旧ガイダンス画面の説明図
【図２４】本発明の操作表示装置による非火災要因ガイダンス画面の説明図
【図２５】図２４に続く非火災要因ガイダンス画面の説明図
【図２６】本発明の操作表示装置による非火災要因不明ガイダンス画面の説明図
【符号の説明】
【００８５】
１：受信機
２：前面パネル
３：火災代表灯
４：地区表示部
５：操作表示装置
６：スピーカ開口
７：操作部
８：プリンタ
９ａ：レバー
９ｂ：ロック溝
１１：本体
１２：タッチパネル付液晶ディスプレイ
１３：収納部
１４：コネクタ
１５：受信機ＭＰＵ
１６−１〜１６−ｎ、１９：受信回路部
１７−１〜１７−ｎ：感知器回線
１８：火災感知器
２０：発信機回線
２１：火災発信機
２２：音声警報部
２３：移報部
２４：受信制御部
２５：サーバ処理部
２６：通信制御部
２７：ＬＡＮケーブル
２８：ＬＡＮコネクタ
２９：ハンドセット
３０：ＣＰＵ
３１：バス
３２：ＲＯＭ
３３：ＲＡＭ
３４：液晶ドライバ
３５：液晶ディスプレイユニット
３６：スイッチドライバ
３７：タッチスイッチパネル
３８：受信機インタフェース
３９：コネクタ
４０：ＬＡＮカード
４２：ＬＡＮコネクタ
４３：電源回路部
４４：電源コネクタ
４５：電池
４６：通話回路部
４７：マイク
４８：スピーカ
４９：操作表示制御部
５０：クライアント処理部
【図１】
2006172168.tif 000003
【図２】
2006172168.tif 000004
【図３】
2006172168.tif 000005
【図４】
2006172168.tif 000006
【図５】
2006172168.tif 000007
【図６】
2006172168.tif 000008
【図７】
2006172168.tif 000009
【図８】
2006172168.tif 000010
【図９】
2006172168.tif 000011
【図１０】
2006172168.tif 000012
【図１１】
2006172168.tif 000013
【図１２】
2006172168.tif 000014
【図１３】
2006172168.tif 000015
【図１４】
2006172168.tif 000016
【図１５】
2006172168.tif 000017
【図１６】
2006172168.tif 000018
【図１７】
2006172168.tif 000019
【図１８】
2006172168.tif 000020
【図１９】
2006172168.tif 000021
【図２０】
2006172168.tif 000022
【図２１】
2006172168.tif 000023
【図２２】
2006172168.tif 000024
【図２３】
2006172168.tif 000025
【図２４】
2006172168.tif 000026
【図２５】
2006172168.tif 000027
【図２６】
2006172168.tif 000028